(57)【要約】  車室（１２）内の空調状態を損なうことなく、高電圧機器（ここではＩＰＵ（５２））を最適な送風量で冷却することができる電動車両の高電圧機器冷却システム（１０）を提供する。ＩＰＵ冷却ＥＣＵ（７０）の制御部（１１０）は、ＩＰＵ（５２）に対する送風方式の情報と、ブロアファン（３８）の送風量の情報と、ＨＶＡＣ（１４）により内気循環又は外気導入のいずれかが選択される選択情報と、ＨＶＡＣ（１４）によりいずれの送風モードが選択される選択情報と、ＩＰＵ（５２）に対して供給する送風量の情報とに基づいて、ＩＰＵファン（５０）の送風量を制御する。
2017158991.tif 000002
【特許請求の範囲】
【請求項１】
モータ（６４）により駆動する電動車両に設置される高電圧機器（５２）と、
空気を冷却する空気冷却部（４０）を有する空調装置（１４）と、
前記空調装置（１４）に空気を供給する第１送風装置（３８）と、
前記高電圧機器（５２）に空気を供給する第２送風装置（５０）と、
を備える電動車両の高電圧機器冷却システム（１０）であって、
前記高電圧機器（５２）に対する送風方式の情報と、前記第１送風装置（３８）の送風量の情報と、前記空調装置（１４）により内気循環又は外気導入のいずれかが選択される選択情報と、前記空調装置（１４）によりいずれの送風モードが選択される選択情報と、前記高電圧機器（５２）に対して供給する送風量の情報と、に基づいて、前記第２送風装置（５０）の送風量を制御する制御部（１１０）を備える
ことを特徴とする電動車両の高電圧機器冷却システム（１０）。
【請求項２】
請求項１に記載の電動車両の高電圧機器冷却システム（１０）において、
前記制御部（１１０）は、
前記内気循環に対応する前記送風モード毎及び前記外気導入に対応する前記送風モード毎に、前記第１送風装置（３８）の送風量と前記第２送風装置（５０）の送風量とを対応付けるマップを使用し、
前記第１送風装置（３８）の送風量と前記マップとに基づいて、前記第２送風装置（５０）の送風量を決定する
ことを特徴とする電動車両の高電圧機器冷却システム（１０）。
【請求項３】
請求項２に記載の電動車両の高電圧機器冷却システム（１０）において、
前記第１送風装置（３８）の電圧を検知する電圧センサ（８４）を更に備え、
前記制御部（１１０）は、
前記電圧センサ（８４）により検知された電圧を前記第１送風装置（３８）の送風量とみなす
ことを特徴とする電動車両の高電圧機器冷却システム（１０）。
【請求項４】
請求項１に記載の電動車両の高電圧機器冷却システム（１０）において、
前記高電圧機器（５２）に対する送風方式の情報は、前記空調装置（１４）により冷却された空気の送風か、車室（１２）内の空気の送風か、のいずれかである
ことを特徴とする電動車両の高電圧機器冷却システム（１０）。
【発明の詳細な説明】
【技術分野】
【０００１】
この発明は、電動車両の駆動用モータに給電する高電圧のバッテリ及びバッテリの電圧を降圧して低電圧機器に印加するＤＣ／ＤＣコンバータ等の高電圧機器を冷却する電動車両の高電圧機器冷却システムに関する。
【背景技術】
【０００２】
電動車両（以下、単に車両ともいう。）、例えば電気自動車、ハイブリッド自動車、レンジエクステンダ自動車及び燃料電池自動車は、駆動用のモータとモータに給電するバッテリとを備える。更に、車両は、バッテリの電圧を降圧してエアコンや各種ＥＣＵ等に印加するＤＣ／ＤＣコンバータを備える。バッテリやＤＣ／ＤＣコンバータ等の高電圧機器は、走行負荷に応じて発熱し、温度変化に応じて性能が変化する。このため、高電圧機器の温度制御、特に冷却が必要である。高電圧機器の温度制御に関しては様々な文献がある。【０００３】
特開２０１３−１８４５６２号公報は、車室内又は車室外の空気を高電圧機器を含むＩＰＵ（Ｉｎｔｅｌｌｉｇｅｎｔ  Ｐｏｗｅｒ  Ｕｎｉｔ）に供給できるシステムを開示する。このシステムは、ＩＰＵと空調装置（ＨＶＡＣ）とが高圧用ファンを介して直結される構造を備えており、高圧用ファンを作動させることによりエバポレータで冷却された空気をＩＰＵに供給する。【０００４】
特許第４７８８５４０号公報は、空調装置に例えばペルチェ素子からなる空調空気生成部を備え、空調空気生成部の下流側に、シート内に空気を供給する第１のファンと、蓄電装置に空気を供給する第２のファンとを備えるシステムを開示する。このシステムは、シート内への空気の供給を優先したうえで、第１のファンの風量と第２のファンの風量の合計を最大風量以下に維持しつつ、第２のファンに対する空調要求に応じて、第２のファンの風量を決定している。この装置によれば、空調能力が限られている場合であっても、乗員に対する快適性を確保しつつ、蓄電装置の温度管理を行なうことができる。
【発明の概要】
【０００５】
車室の空調状態を制御する空調装置（ＨＶＡＣ）は、空気の導入先（内気循環、外気導入）や送風モード（各吹き出し口）の設定に応じて、装置内部に形成される空気の流路が変化する。流路が異なると空気の圧損が異なる。高電圧機器の温度制御時に、圧損の大少に関わらず送風量を制御すると、適当な温度制御を行えない可能性がある。例えば、圧損が大きい場合に必要な送風量を確保できず、高電圧機器の冷却不足が発生する虞がある。また、圧損が少ない場合に必要以上に送風され、高電圧機器の過冷却が発生する虞がある。
【０００６】
この発明はこのような課題を考慮してなされたものであって、車室内の空調状態を損なうことなく、高電圧機器を最適な送風量で冷却することができる電動車両の高電圧機器冷却システムを提供することを目的とする。
【０００７】
本発明は、モータにより駆動する電動車両に設置される高電圧機器と、空気を冷却する空気冷却部を有する空調装置と、前記空調装置に空気を供給する第１送風装置と、前記高電圧機器に空気を供給する第２送風装置と、を備える電動車両の高電圧機器冷却システムであって、前記高電圧機器に対する送風方式の情報と、前記第１送風装置の送風量の情報と、前記空調装置により内気循環又は外気導入のいずれかが選択される選択情報と、前記空調装置によりいずれの送風モードが選択される選択情報と、前記高電圧機器に対して供給する送風量の情報と、に基づいて、前記第２送風装置の送風量を制御する制御部を備えることを特徴とする。本発明は、前記第１送風装置の送風量の情報に基づいて、第２送風装置の送風量を制御する。このため、車室内の空調状態を損なうことなく高電圧機器に送風することができる。更に、空調装置により内気循環又は外気導入のいずれかが選択される選択情報と、空調装置によりいずれの送風モードが選択される選択情報と、に基づいて、第２送風装置の送風量を制御する。このため、流路の圧損を計算して高電圧機器に送風することができる。したがって、車室内の空調状態を損なうことなく、高電圧機器を最適な送風量で冷却することができる。
【０００８】
本発明において、前記制御部は、前記内気循環に対応する前記送風モード毎及び前記外気導入に対応する前記送風モード毎に、前記第１送風装置の送風量と前記第２送風装置の送風量とを対応付けるマップを使用し、前記第１送風装置の送風量と前記マップとに基づいて、前記第２送風装置の送風量を決定してもよい。上記構成によれば、内気循環に対応する送風モード毎及び外気導入に対応する送風モード毎に、第１送風装置の送風量と第２送風装置の送風量とを対応付けるマップを使用するため、各送風モードの圧損に対応した送風量で高電圧機器を冷却することができる。
【０００９】
本発明において、前記第１送風装置の電圧を検知する電圧センサを更に備え、前記制御部は、前記電圧センサにより検知された電圧を前記第１送風装置の送風量とみなしてもよい。上記構成によれば、第１送風装置の電圧を第１送風装置の送風量とみなすため、簡単な構成で第１送風装置の送風量を検知することが可能となる。
【００１０】
本発明において、前記高電圧機器に対する送風方式の情報は、前記空調装置により冷却された空気の送風か、車室内の空気の送風か、のいずれかであってもよい。上記構成によれば、高電圧機器の送風方式、すなわちＡ／Ｃ冷却か通常冷却かが選択されるため、高電圧機器の冷却を適切に行うことができる。
【００１１】
本発明によれば、車室内の空調状態を損なうことなく、高電圧機器を最適な送風量で冷却することができる。
【図面の簡単な説明】
【００１２】
【図１】図１は高電圧機器冷却システムのシステム構成図である。
【図２】図２は高電圧機器冷却システムのブロック図である。
【図３】図３は記憶部で記憶されるマップである。
【図４】図４は高電圧機器冷却システムで実行される処理のフローチャートである。
【発明を実施するための形態】
【００１３】
以下、本発明について、好適な実施形態を挙げ、添付の図面を参照して詳細に説明する。なお、本実施形態に係る高電圧機器冷却システムは走行用のモータを備えた電動車両に設けられるものである。電動車両には、電気自動車、ハイブリッド自動車、レンジエクステンダ自動車及び燃料電池自動車等が含まれる。
【００１４】
［１  システム構成］
図１を用いて本実施形態に係る高電圧機器冷却システム１０のシステム構成を説明する。図１は高電圧機器冷却システム１０のシステム構成を簡略化して示す。高電圧機器冷却システム１０は、ＨＶＡＣ１４と、ＩＰＵファン５０と、ＩＰＵ５２と、モータ６４と、エアコンＥＣＵ６６（Ａ／ＣＥＣＵ６６ともいう。）と、駆動系ＥＣＵ６８と、ＩＰＵ冷却ＥＣＵ７０と、を備える。高電圧機器冷却システム１０は、ＨＶＡＣ１４とＩＰＵファン５０とを協調させてＩＰＵ５２を冷却するものである。
【００１５】
ＨＶＡＣ（Ｈｅａｔｉｎｇ，Ｖｅｎｔｉｌａｔｉｏｎ，ａｎｄ  Ａｉｒ  Ｃｏｎｄｉｔｉｏｎｉｎｇ）１４は車室１２内の空気を調整する空気調和機であり、流路１６と、フィルタ３６と、ブロアファン３８と、エバポレータ４０と、ヒータ４２と、を備える。流路１６は、車室１２内の空気を取り込む内気循環流路１８と、外部の空気を取り込む外気導入流路２０と、内気循環流路１８及び外気導入流路２０に接続される共通流路２２と、共通流路２２に接続される第１送風流路２４、第２送風流路２６、第３送風流路２８と、を備える。また、流路１６は、図示しないアクチュエータの動作に応じて開閉動作する第１〜第３切替ドア３０、３２、３４を備える。
【００１６】
第１切替ドア３０は、内気循環流路１８と外気導入流路２０のいずれか一方の流路１６を共通流路２２に対して開放し、他方の流路１６を共通流路２２に対して閉塞する。第２、第３切替ドア３２、３４は連動して、共通流路２２を第１送風流路２４、第２送風流路２６、第３送風流路２８に対して開放し、又は、閉塞する。
【００１７】
内気循環流路１８は、車室１２内に設けられた空気導入口１８ａに連通する。外気導入流路２０は、車室１２外に設けられた空気導入口２０ａに連通する。第１送風流路２４、第２送風流路２６、第３送風流路２８は、車室１２内に設けられた別々の送風口に連通する。例えば、第１送風流路２４は、運転席の上部に向けられた送風口２４ａに連通する。第２送風流路２６は、運転席の足元に向けられた送風口２６ａに連通する。第３送風流路２８はフロントガラスに向けられた送風口２８ａに連通する。
【００１８】
共通流路２２には、フィルタ３６と、ブロアファン３８と、エバポレータ４０と、ヒータ４２が設けられる。フィルタ３６は、内気循環流路１８又は外気導入流路２０から取り込まれる空気を濾過して下流側に供給する。ブロアファン３８は、フィルタ３６で濾過された空気を下流側に供給する。エバポレータ４０は、ブロアファン３８から供給された空気を冷却して下流側に供給する。ヒータ４２は、エバポレータ４０で冷却された空気を暖めて下流側に供給する。
【００１９】
ＨＶＡＣ１４の外部にはＩＰＵ送風ダクト４８が設けられる。ＩＰＵ送風ダクト４８の一端は、エバポレータ４０の下流側の共通流路２２及び車室１２に直結し、ＩＰＵ送風ダクト４８の他端は、ＩＰＵ５２のＩＰＵ流路６０に直結する。ＩＰＵ冷却切替ドア４６は、図示しないアクチュエータの動作に応じて開閉動作して、ＨＶＡＣ１４の共通流路２２と車室１２のいずれか一方をＩＰＵ送風ダクト４８に対して開放し、他方をＩＰＵ送風ダクト４８に対して閉塞する。
【００２０】
ＩＰＵ送風ダクト４８にはＩＰＵファン５０が設けられる。ＩＰＵファン５０は、ＨＶＡＣ１４の共通流路２２又は車室１２の空気を下流側（ＩＰＵ５２側）に供給する。ＩＰＵ５２は、ケース５４内にバッテリ５６及びＤＣ／ＤＣコンバータ５８を備える。バッテリ５６は、電動車両を駆動させるモータ６４に給電する。ＤＣ／ＤＣコンバータ５８は、バッテリ５６の電圧を所定電圧まで降圧して各種電気機器（各種ＥＣＵ６６、６８、７０等）に出力する。バッテリ５６とＤＣ／ＤＣコンバータ５８は高電圧機器であり、各種ＥＣＵ６６、６８、７０等は低電圧機器である。ＩＰＵ５２のケース５４内には空気を流通させるＩＰＵ流路６０が形成されており、バッテリ５６及びＤＣ／ＤＣコンバータ５８にはＩＰＵ流路６０を流通する空気が供給される。バッテリ５６はＩＰＵ流路６０の上流側に配置され、ＤＣ／ＤＣコンバータ５８はＩＰＵ流路６０の下流側に配置される。ＩＰＵ流路６０は排出ダクト６２に接続される。排出ダクト６２は、ＩＰＵ流路６０から排出された空気を車両内部に排出する。
【００２１】
なお、以下の説明で使用する「冷却方法」というのは、ＩＰＵ５２の冷却の仕方のことをいい、「送風量」と「送風方式」等で定義される。「送風方式」というのは、「Ａ／Ｃ冷却」と「通常冷却」のいずれかをいう。「Ａ／Ｃ冷却」というのは、ＩＰＵ冷却切替ドア４６によりＨＶＡＣ１４の流路１６とＩＰＵ送風ダクト４８とを直接繋いで、ＨＶＡＣ１４により冷却された空気をＩＰＵ５２に供給する送風方式のことをいう。「通常冷却」というのは、ＩＰＵ冷却切替ドア４６により車室１２とＩＰＵ送風ダクト４８とを直接繋いで、車室１２の空気をＩＰＵ５２に供給する送風方式のことをいう。
【００２２】
高電圧機器冷却システム１０は３つのＥＣＵ、すなわちエアコンＥＣＵ６６と駆動系ＥＣＵ６８とＩＰＵ冷却ＥＣＵ７０とを備える。各ＥＣＵ６６、６８、７０はマイクロコンピュータを含む計算機であり、ＣＰＵ、ＲＯＭ（ＥＥＰＲＯＭも含む。）、ＲＡＭ、その他、Ａ／Ｄ変換器、Ｄ／Ａ変換器等の入出力装置、計時部としてのタイマ等を有する。各ＥＣＵ６６、６８、７０は、ＣＰＵがＲＯＭに記録されているプログラムを読み出して実行することで各種機能実現部（機能実現手段）、例えば、制御部、演算部、及び、処理部等として機能する。各ＥＣＵ６６、６８、７０は、１つのＥＣＵのみから構成されてもよく、複数のＥＣＵから構成されてもよい。
【００２３】
Ａ／ＣＥＣＵ６６は、車室１２内に設けられるＡ／Ｃ操作装置７２の設定に応じてＨＶＡＣ１４の運転状態を制御する。運転者を含む乗員は、Ａ／Ｃ操作装置７２を操作して、車室１２内の温度、送風量の強度、内気循環又は外気導入のいずれかの流路１６、送風モード等を設定する。送風モードとは、車室１２への送風位置のことをいう。Ａ／ＣＥＣＵ６６は、ＨＶＡＣ１４の第１切替ドア３０の切り替え動作を制御して内気循環又は外気導入を切り替える。また、ＨＶＡＣ１４の第２、第３切替ドア３２、３４の切り替え動作を制御して送風位置を切り替える。また、ブロアファン３８の回転数を制御して送風量を調整する。また、ヒータ４２の温度を制御して送風する空気の温度を調整する。
【００２４】
駆動系ＥＣＵ６８は、モータ６４等の駆動系を制御する。例えば、図示しないアクセルペダル等の操作に応じてモータ６４を制御すると共に、車室１２内に設けられた走行モード選択スイッチ７４で設定された走行モードに応じてモータ６４を制御する。運転者は、走行モード選択スイッチ７４を操作して、走行モードを設定する。走行モードには、例えば高い加速力や応答性を発揮するモードや、燃費を優先するモード等がある。走行モード毎にバッテリ５６やＤＣ／ＤＣコンバータ５８にかかる負荷は異なる。本実施形態では説明の便宜のために、高負荷モード、中負荷モード、低負荷モードが設定されるものとする。
【００２５】
ＩＰＵ冷却ＥＣＵ７０は、ＩＰＵ５２を効果的に冷却するために、ＩＰＵファン５０の回転数及びＩＰＵ冷却切替ドア４６の切り替え動作を制御する。また、Ａ／ＣＥＣＵ６６に対してＨＶＡＣ１４の制御指令を出力する。ＩＰＵ冷却ＥＣＵ７０の詳細に関しては後述する。
【００２６】
高電圧機器冷却システム１０は各種センサを備える。ここでは車室１２内の温度を検知する車室温度センサ７６と、バッテリ５６の温度を検知するバッテリ温度センサ７８と、ＤＣ／ＤＣコンバータ５８の温度を検知するＤＣ／ＤＣ温度センサ８０と、バッテリ５６の電流を検知するバッテリ電流センサ８２と、ブロアファン３８の電圧を検知するブロアファン電圧センサ８４とを備える。
【００２７】
［２  ＩＰＵ冷却ＥＣＵ７０］
図２を用いてＩＰＵ冷却ＥＣＵ７０の機能を説明する。ＩＰＵ冷却ＥＣＵ７０は、判定部９０と決定部１００と制御部１１０として機能する。判定部９０は、冷却判定部９２、バッテリ判定部９４、ＤＣ／ＤＣ判定部９６として機能し、制御部１１０は、デューティ比演算部１１２、操作指示部１１４として機能する。また、ＩＰＵ冷却ＥＣＵ７０は記憶部１２０を備える。
【００２８】
冷却判定部９２は、電動車両に設定される走行モードと、車室１２内の空調状態と、に基づいて許可可能な可能冷却方法を判定する。冷却判定部９２で判定される可能冷却方法というのは、車室１２内の空調状態、すなわちＡ／Ｃ操作装置７２で設定された空調状態を優先したうえで、ＩＰＵ５２を冷却するために供給可能な送風量のことをいう。ここでは可能冷却方法の選択肢として、２種類の送風量（Ｈｉ：強、又は、Ｌｏ：弱）の他に、冷却の非許可と、ＨＶＡＣ１４の故障と、が設定されており、このうちのいずれかが選択される。Ａ／Ｃ操作装置７２で設定された空調状態を優先することにより、乗員に要求される車室１２内の空調状態は、ＩＰＵ５２の冷却に影響されることなく確保される。
【００２９】
バッテリ判定部９４は、バッテリ５６の温度及び発熱量に基づいてバッテリ５６の冷却に適したバッテリ冷却方法を判定する。バッテリ冷却方法というのは、バッテリ５６の冷却に要求される送風量と送風方式のことをいう。ここではバッテリ冷却方法の選択肢として、２種類の送風方式（Ａ／Ｃ冷却及び通常冷却）と３種類の送風量（Ｈｉ：強、又は、Ｍｉｄ：中、又は、Ｌｏ：弱）が設定される。また、冷却の必要なしという選択肢も設定される。
【００３０】
ＤＣ／ＤＣ判定部９６は、ＤＣ／ＤＣコンバータ５８の温度に基づいてＤＣ／ＤＣコンバータ５８の冷却に適したＤＣ／ＤＣ冷却方法を判定する。ＤＣ／ＤＣ冷却方法というのは、ＤＣ／ＤＣコンバータ５８の冷却に要求される送風量と送風方式のことをいう。ここではＤＣ／ＤＣ冷却方法の選択肢として、１種類の送風方式（通常冷却）と３種類の送風量（Ｈｉ：強、又は、Ｍｉｄ：中、又は、Ｌｏ：弱）が設定される。また、冷却の必要なしという選択肢も設定される。
【００３１】
決定部１００は、冷却判定部９２による判定結果と、バッテリ判定部９４による判定結果と、ＤＣ／ＤＣ判定部９６による判定結果と、に基づいてＩＰＵ５２の最終冷却方法を決定する。最終冷却方法というのは、ＩＰＵ５２の冷却に要求される送風量と送風方式のことをいう。決定部１００は、基本的には、冷却判定部９２により選択された可能冷却方法（送風量）を上限として、バッテリ判定部９４により選択された送風量とＤＣ／ＤＣ判定部９６により選択された送風量とのうち大きい方を選択する。但し、例外もある。なお、走行モードが判断材料として使用されてもよい。
【００３２】
デューティ比演算部１１２は、ＩＰＵファン５０の送風量に相当するＩＰＵファン５０のデューティ比（ＩＰＵファン５０のモータのデューティ比）を決定する。決定の際には、決定部１００で決定されたＩＰＵ５２に対する送風方式（Ａ／Ｃ冷却又は通常冷却）の情報と、ブロアファン３８の送風量の情報と、ＨＶＡＣ１４により内気循環又は外気導入のいずれかが選択される選択情報と、ＨＶＡＣ１４によりいずれかの送風モードが選択される選択情報と、決定部１００で決定されたＩＰＵ５２に対して供給する送風量の情報等が使用される。ＩＰＵファン５０の送風量の決定は、例えば、図３で示すようなマップＭに基づいて行われる。
【００３３】
マップＭは、ブロアファン３８の電圧とＩＰＵファン５０のデューティ比との対応関係を示すものである。ブロアファン３８の電圧とブロアファン３８の送風量（回転数）は比例関係にある。また、ＩＰＵファン５０のデューティ比とＩＰＵファン５０の送風量（回転数）は比例関係にある。このため、本実施形態ではブロアファン３８の電圧をブロアファン３８の送風量（回転数）とみなし、ＩＰＵファン５０のデューティ比をＩＰＵファン５０の送風量（回転数）とみなす。つまり、マップＭは、ブロアファン３８の送風量（回転数）とＩＰＵファン５０の送風量（回転数）との対応関係を示すものといえる。マップＭは、ＩＰＵ５２に対する送風方式（Ａ／Ｃ冷却又は通常冷却）毎、ＨＶＡＣ１４の内気循環と外気導入の違い毎、及び、ＨＶＡＣ１４の送風モード毎に設けられる。更に、各マップＭではＩＰＵ５２に対して供給する送風量（Ｌｏ、Ｍｉｄ、Ｈｉ）毎にブロアファン３８の電圧とＩＰＵファン５０のデューティ比との対応関係が設定される。内気循環の際にＨＶＡＣ１４で形成される流路１６と、外気導入の際にＨＶＡＣ１４で形成される流路１６は圧損が異なる。同様に送風モード毎にＨＶＡＣ１４で形成される流路１６の圧損は異なる。このため各マップＭは圧損の違いを計算したうえで作成される。各マップＭは記憶部１２０で記憶される。
【００３４】
操作指示部１１４は、決定部１００又はデューティ比演算部１１２の決定結果に基づいて、ＩＰＵファン５０及びＩＰＵ冷却切替ドア４６のドライバ（図示せず）に操作指示を出力する。
【００３５】
［３  高電圧機器冷却システム１０の動作］
図４を用いて高電圧機器冷却システム１０の動作を説明する。以下の動作は主としてＩＰＵ冷却ＥＣＵ７０により定期的に実行される。
【００３６】
ステップＳ１にて、冷却判定部９２は、その時点で許可可能な可能冷却方法を判定する。冷却判定部９２は、駆動系ＥＣＵ６８に設定される走行モードと、Ａ／ＣＥＣＵ６６が制御するＨＶＡＣ１４の運転状態と、車室温度センサ７６の検知温度に基づいて、許可可能な可能冷却方法を判定する。ここでは、車室１２内の空調状態を維持することを優先したうえで、いずれかの送風量（Ｈｉ：強、又は、Ｌｏ：弱）の中から許可可能な送風量を選択する。ＩＰＵ５２の冷却により車室１２内の空調状態を維持できなくなる場合は、冷却判定部９２は、非許可という選択肢（可能冷却方法）を選択する。また、ＨＶＡＣ１４が故障している場合は、故障という選択肢（可能冷却方法）を選択する。
【００３７】
ステップＳ２にて、バッテリ判定部９４は、バッテリ５６の冷却に適したバッテリ冷却方法を判定する。バッテリ５６の出力が高くなる温度範囲は約２０℃〜約５０℃である。バッテリ５６の温度をこの温度範囲以下に収めるために、バッテリ判定部９４は、バッテリ温度センサ７８で検知されるバッテリ５６の温度、バッテリ電流センサ８２で検知されるバッテリ５６の電流値、走行モード選択スイッチ７４により選択された走行モード等に基づいて、最適な送風量（Ｈｉ：強、又は、Ｍｉｄ：中、又は、Ｌｏ：弱）を選択すると共に、最適な送風方式（Ａ／Ｃ冷却又は通常冷却）を選択する。この際、バッテリ５６の温度と先の温度範囲との乖離が大きくなるほど、送風量を大きくする。但し、乖離が所定以上大きくなった場合は、車室１２の温度も高くなっていることが予測されるため、車室１２内の冷却を優先し、送風量を弱にしてもよい。バッテリ５６の温度が既にこの温度範囲以下に収まっている場合は、冷却の必要なし（通常方法又はＩＰＵファン５０停止）という選択肢（バッテリ冷却方法）を選択する。
【００３８】
ステップＳ３にて、ＤＣ／ＤＣ判定部９６は、ＤＣ／ＤＣコンバータ５８の冷却に適したＤＣ／ＤＣ冷却方法を判定する。ＤＣ／ＤＣコンバータ５８の効率が高くなる温度範囲は約７０℃〜約８０℃である。ＤＣ／ＤＣコンバータ５８の温度をこの温度範囲以下に収めるために、ＤＣ／ＤＣ判定部９６は、ＤＣ／ＤＣ温度センサ８０で検知されるＤＣ／ＤＣコンバータ５８の温度等に基づいて、最適な送風量（Ｈｉ：強、又は、Ｍｉｄ：中、又は、Ｌｏ：弱）を選択すると共に、送風方式（通常冷却）を選択する。この際、ＤＣ／ＤＣコンバータ５８の温度と先の温度範囲との乖離が大きくなるほど、送風量を大きくする。但し、乖離が所定以上大きくなった場合は、車室１２の温度も高くなっていることが予測されるため、車室１２内の冷却を優先し、送風量を弱にしてもよい。ＤＣ／ＤＣコンバータ５８の温度が既にこの温度範囲以下に収まっている場合は、冷却の必要なし（通常冷却又はＩＰＵファン５０停止）という選択肢（ＤＣ／ＤＣ冷却方法）を選択する。
【００３９】
ステップＳ４にて、決定部１００は、ステップＳ１〜ステップＳ３の判定結果に基づいて、ＩＰＵ５２の最終冷却方法を決定する。決定部１００は、冷却判定部９２により選択された送風量を上限としたうえで、バッテリ判定部９４により選択された送風量とＤＣ／ＤＣ判定部９６により選択された送風量のうち大きい方を選択する。例えば、冷却判定部９２により選択された送風量が強であり、バッテリ判定部９４又はＤＣ／ＤＣ判定部９６により選択された送風量が中又は強である場合、決定部１００は、中又は強の送風量を選択する。また、バッテリ判定部９４により選択された送風方式がＡ／Ｃ冷却である場合、決定部１００は、Ａ／Ｃ冷却という送風方式を選択し、バッテリ判定部９４により選択された送風方式が通常冷却である場合、決定部１００は、通常冷却という送風方式を選択する。
【００４０】
但し、例外もある。冷却判定部９２により選択された送風量が弱であり、バッテリ判定部９４又はＤＣ／ＤＣ判定部９６により選択された送風量が強又は中である場合は、決定部１００は、最終冷却方法として、通常冷却という送風方式を選択し、強又は中の送風量を選択する。この際、バッテリ判定部９４により選択された送風方式がＡ／Ｃ冷却であっても通常冷却が選択される。また、冷却判定部９２により冷却の非許可又はＨＶＡＣ１４の故障が選択された場合や、バッテリ判定部９４又はＤＣ／ＤＣ判定部９６で冷却の必要なしが選択された場合に、決定部１００は、最終冷却方法として、通常冷却という送風方式を選択し、弱の送風量を選択する。
【００４１】
ステップＳ５にて、デューティ比演算部１１２は、ＩＰＵファン５０のデューティ比を決定する。デューティ比演算部１１２は、Ａ／ＣＥＣＵ６６により設定される運転状態に基づいて内気循環か外気導入かを判定し、更に、送風モードを判定する。そして、これらの判定結果と、ステップＳ４で決定された送風方式（Ａ／Ｃ冷却又は通常冷却）の情報に基づいて、記憶部１２０に記憶されるマップＭの中から使用するマップＭ（図３）を決定する。次いで、ステップＳ４で決定された送風量に基づいて、特定したマップＭの中から使用する特性（Ｌｏ、Ｍｉｄ、Ｈｉのいずれかの特性）を決定する。そして、決定した特性と、ブロアファン電圧センサ８４で検知されるブロアファン３８の電圧とから、ＩＰＵファン５０のデューティ比（送風量）を求める。
【００４２】
ステップＳ６にて、操作指示部１１４は、ＩＰＵ５２の冷却制御を実行する。操作指示部１１４は、ステップＳ５で求められたデューティ比（送風量）に基づいてＩＰＵファン５０のドライバに操作指示を出力する。ドライバは操作指示に従いＩＰＵファン５０のモータを動作させる。すると、ＩＰＵファン５０の回転数が調整され、送風量が最適化される。また、操作指示部１１４は、ステップＳ４で決定された送風方式に基づき、ＩＰＵ冷却切替ドア４６のドライバに操作指示を出力する。ステップＳ４でＡ／Ｃ冷却が選択された場合、ＩＰＵ冷却切替ドア４６は、ＨＶＡＣ１４の共通流路２２をＩＰＵ送風ダクト４８に対して開放すると共に、車室１２をＩＰＵ送風ダクト４８に対して閉塞する。一方、ステップＳ４で通常冷却が選択された場合、ＩＰＵ冷却切替ドア４６は、車室１２をＩＰＵ送風ダクト４８に対して開放すると共に、ＨＶＡＣ１４の共通流路２２をＩＰＵ送風ダクト４８に対して閉塞する。
【００４３】
［４  まとめ］
高電圧機器冷却システム１０は、モータ６４により駆動する電動車両に設置されるＩＰＵ５２（高電圧機器）と、空気を冷却するエバポレータ４０（空気冷却部）を有するＨＶＡＣ１４（空調装置）と、ＨＶＡＣ１４に空気を供給するブロアファン３８（第１送風装置）と、ＩＰＵ５２に空気を供給するＩＰＵファン５０（第２送風装置）と、を備える。高電圧機器冷却システム１０は、更にＩＰＵ冷却ＥＣＵ７０を備える。ＩＰＵ冷却ＥＣＵ７０は、ＩＰＵ５２に対する送風方式の情報と、ブロアファン３８の送風量の情報と、ＨＶＡＣ１４により内気循環又は外気導入のいずれかが選択される選択情報と、ＨＶＡＣ１４によりいずれかの送風モードが選択される選択情報と、ＩＰＵ５２に対して供給する送風量の情報と、に基づいて、ＩＰＵファン５０の送風量を制御する制御部１１０を備える。
【００４４】
ＩＰＵ冷却ＥＣＵ７０は、ブロアファン３８の送風量の情報、すなわちブロアファン３８の電圧に基づいて、ＩＰＵファン５０の送風量を制御する。このため、車室１２内の空調状態を損なうことなくＩＰＵ５２に送風することができる。更に、ＩＰＵ冷却ＥＣＵ７０は、ＨＶＡＣ１４により内気循環又は外気導入のいずれかが選択される選択情報と、ＨＶＡＣ１４によりいずれの送風モードが選択される選択情報と、に基づいて、ＩＰＵファン５０の送風量を制御する。このため、ＨＶＡＣ１４内の流路１６の圧損を計算してＩＰＵ５２に送風することができる。したがって、車室１２内の空調状態を損なうことなく、ＩＰＵ５２を最適な送風量で冷却することができる。
【００４５】
制御部１１０は、内気循環に対応する送風モード毎及び外気導入に対応する送風モード毎に、ブロアファン３８の電圧（送風量）とＩＰＵファン５０のデューティ比（送風量）とを対応付けるマップＭを使用する。そして、ブロアファン３８の電圧（送風量）とマップＭとに基づいて、ＩＰＵファン５０のデューティ比（送風量）を決定する。この構成によれば、内気循環に対応する送風モード毎及び外気導入に対応する送風モード毎に、ブロアファン３８の電圧（送風量）とＩＰＵファン５０のデューティ比（送風量）とを対応付けるマップＭを使用するため、各送風モードの圧損に対応した送風量でＩＰＵ５２を冷却することができる。
【００４６】
高電圧機器冷却システム１０は、ブロアファン３８の電圧を検知するブロアファン電圧センサ８４を更に備える。そして、制御部１１０は、ブロアファン電圧センサ８４により検知された電圧をブロアファン３８の送風量とみなす。この構成によれば、ブロアファン３８の電圧をブロアファン３８の送風量とみなすため、簡単な構成でブロアファン３８の送風量を検知することが可能となる。
【００４７】
ＩＰＵ５２に対する送風方式の情報は、ＨＶＡＣ１４により冷却された空気の送風か、車室１２内の空気の送風か、のいずれかである。この構成によれば、ＩＰＵ５２の送風方式、すなわちＡ／Ｃ冷却か通常冷却かが選択されるため、ＩＰＵ５２の冷却を適切に行うことができる。
【００４８】
なお、本発明に係る電動車両の高電圧機器冷却システム１０は、上述の実施形態に限らず、本発明の要旨を逸脱することなく、種々の構成を採り得ることはもちろんである。
【図１】
2017158991.tif 000003
【図２】
2017158991.tif 000004
【図３】
2017158991.tif 000005
【図４】
2017158991.tif 000006
【国際調査報告】
2017158991.tif 000007
2017158991.tif 000008